(57)【要約】【課題】ディスクグラインダ等の電動工具において、起動状態にロックすることができるロックオン機構は、長時間作業を楽に行うための機能ではあるが、使用者の意図しない状況であって、例えば誤って床面上に落下させてしまった場合にはロックオン状態をキャンセルする必要がある。本発明は、電動工具の盗難抑止効果とともに、使用者が意図しない状況での起動がなされないようにし、あるいは一旦設定されたロックオン状態がキャンセルされるようにすることを目的とする。【解決手段】電動工具１と、その使用者が身に着けた身体機器Ｗとしてのグローブ４０とを有する起動システムとする。使用者が身に着けたグローブ４０から使用許可信号を受ける状態でのみ電動工具１が電気的機能を利用可能な起動待機状態となり、この起動待機状態においてのみオン操作により電動工具１が起動する構成とする。【選択図】図６
2017164858.tif 000002
【特許請求の範囲】
【請求項１】
電動工具と、該電動工具の使用者が身に着けた身体機器とを有する前記電動工具の起動システムであって、前記電動工具は起動用の電子スイッチを備えており、前記使用者が身に着けた身体機器からの情報を受ける状態でのみ電気的機能を利用可能な起動待機状態となり、該起動待機状態においてのみ前記電子スイッチの操作により前記電動工具が起動する構成とした起動システム。
【請求項２】
請求項１記載の起動システムであって、前記使用者が身に着けた身体機器に対する少なくとも一つの操作により前記電動工具の電気的ロック状態が解除されて前記起動待機状態となる起動システム。
【請求項３】
請求項１又は２記載の起動システムであって、前記使用者が身に着けた身体機器は、前記電動工具の状態を報知する工具状態報知手段を備えた起動システム。
【請求項４】
請求項３記載の起動システムであって、前記工具状態報知手段は、前記電動工具の起動状態又は非起動状態に関わらず、前記電動工具の状態を報知可能な構成とした起動システム。
【請求項５】
請求項３又は４記載の起動システムであって、前記電動工具は、駆動源として電動モータを内装し、電源として充電可能なバッテリパックを備えており、前記工具状態報知手段により、前記電動モータの負荷状態及び起動時間、前記バッテリパックの残容量のうちの少なくとも一つが報知される構成とした起動システム。
【請求項６】
請求項３〜５の何れか１項に記載した起動システムであって、前記工具状態報知手段は、視覚的に表示する表示部を備えた起動システム。
【請求項７】
請求項１〜６の何れか１項に記載した起動システムであって、前記使用者が身に着ける身体機器は、リストバンド又はグローブ又はゴーグルである起動システム。
【請求項８】
請求項１〜７の何れか１項に記載した起動システムであって、前記電子スイッチとして、少なくとも２箇所に配置された圧力センサスイッチを備えており、該圧力センサスイッチを少なくとも２箇所同時に操作して前記電動工具を起動させる構成とした起動システム。
【発明の詳細な説明】
【技術分野】
【０００１】
この発明は、ディスクグラインダ等の電動工具に関する。
【背景技術】
【０００２】
ディスクグラインダ等の電動工具には、使用者が引き操作するレバー形式の起動スイッチが設けられている。この起動スイッチを引き操作（オン操作）すると、電動モータが起動して当該電動工具を利用することができる。起動スイッチの引き操作を解除すれば、電動モータが停止する。起動スイッチは、使用者が把持するグリップ部にオン位置とオフ位置との間を傾動可能若しくは平行移動可能に設けられている。起動スイッチの操作によりスイッチ本体がオンオフする。スイッチ本体のオンオフ信号に基づいて電動モータへの電力供給若しくは遮断がなされる。係る起動スイッチについては、粉塵が細部に詰まる等して動作不良を発生しやすくなる問題がある。特にディスクグラインダを用いるような研削作業では、多くの粉塵が発生するため、これが起動スイッチの支持部周辺に詰まってその動作不良を招きやすい。起動スイッチの動作不良は、スムーズな起動、停止を阻害する原因となる。
【０００３】
従来、上記の起動スイッチの問題を解消するためにいわゆる電子スイッチを用いる技術が提供されている。電子スイッチは使用者の指先による押圧動作を検知する押圧センサを用いるもの、あるいは指先の接触を電磁気的に検知するタッチセンサを用いるもので、通常カバーで覆われているため粉塵等の異物が外部から侵入するおそれがない。起動スイッチとして、電子スイッチを用いる場合には、誤作動等の使用者が意図しない状況での起動をより確実に回避するための対策を施す必要がある。
【０００４】
下記の特許文献には、電動工具の起動状態を適切に制御するための技術が開示されている。特許文献１には、使用者が身に着ける認証用機器と電動工具との間で工具使用権に関する情報を送受することにより、使用者が把持した状況以外での起動を禁止することにより、結果として電動工具の盗難を未然に防ぐ技術が開示されている。特許文献２には、電動工具側の認証装置について、低コストで認証機能を追加するための技術が開示されている。
【先行技術文献】
【特許文献】
【０００５】
【特許文献１】特許第４６７８１９９号公報
【特許文献２】特開２０１３−１８８８０３号公報
【発明の概要】
【発明が解決しようとする課題】
【０００６】
しかしながら、電動工具の起動スイッチについては、使用者不在での起動を禁止してその盗難を抑止する必要があることの他に、盗難に至らないまでも使用者の意図しない状況での起動をより確実に回避する必要がある。本発明は、係る観点からなされたもので、起動スイッチとして電子スイッチを用いる一方で、この電子スイッチのオン操作が使用者が意図する状況でのみ許容されるようにすることを目的とする。
【課題を解決するための手段】
【０００７】
上記の課題は、以下の各発明により解決される。第１の発明は、電動工具と、電動工具の使用者が身に着けた身体機器とを有する電動工具の起動システムである。第１の発明では、電動工具は起動用の電子スイッチを備えており、使用者が身に着けた身体機器からの情報を受ける状態でのみ電気的機能を利用可能な起動待機状態となる。第１の発明では、起動待機状態においてのみ電子スイッチの操作により電動工具が起動する構成となっている。
【０００８】
第１の発明によれば、使用者が身に着けた身体機器からの情報を受ける状態でのみ電動工具が起動待機状態となる。電動工具は、この起動待機状態においてのみ電子スイッチのオン操作により起動する。このことから、使用者の意図しない状況の一例として、例えば身体機器からの情報を受けることができる距離以内に当該身体機器と電動工具が接近していない状況、あるいは身体機器の情報発信のための操作がなされていない状況では、電動工具との間で情報の送受がなされないため当該電動工具が起動待機状態にならない。起動待機状態になっていない状況では、電子スイッチを操作しても電動工具を起動させることができない。
【０００９】
第２の発明は、第１の発明において、使用者が身に着けた身体機器に対する少なくとも一つの操作により電動工具の電気的ロック状態が解除されて起動待機状態となる起動システムである。
【００１０】
第２の発明によれば、使用者により少なくとも一つの操作がなされた時点で電動工具に対して情報が発信されることから、常時情報を発信する構成に比して、当該身体機器の電力消費を抑制することができる。第２の発明によれば、身体機器に対する少なくとも一つの操作により使用者が意図する状況となる。使用者が意図する状況となって、電動工具に対して情報が発信されて電気的ロック状態が解除される。使用者が意図しない状況では電動工具の電気的ロック状態が維持される。この電気的ロック状態では、起動スイッチをオン操作しても電動工具は起動しない。
【００１１】
第３の発明は、第１又は第２の発明において、使用者が身に着けた身体機器は、電動工具の状態を報知する工具状態報知手段を備えた起動システムである。
【００１２】
第３の発明によれば、使用者は工具状態報知手段により電動工具の状態を確認することができる。電動工具の状態としては、電動モータの負荷状態、起動時間、バッテリパックの残容量、あるいは動作モードの設定状態等の各種の状態を報知することができる。工具状態報知手段であって特にバッテリパックの残容量あるいは工具使用履歴等についての工具状態は、電動工具の起動状態に限らず起動待機状態においても利用できるようにすることができる。
【００１３】
第４の発明は、第３の発明において、工具状態報知手段は、電動工具の起動状態又は非起動状態に関わらず、電動工具の状態を報知可能な構成とした起動システムである。
【００１４】
第４の発明によれば、電動工具が起動していない状態においても、工具状態報知手段により当該電動工具の状態を確認することができる。
【００１５】
第５の発明は、第３又は第４の発明において、電動工具は、駆動源として電動モータを内装し、電源として充電可能なバッテリパックを備えており、工具状態報知手段により、電動モータの負荷状態及び起動時間、バッテリパックの残容量のうちの少なくとも一つが報知される構成とした起動システムである。
【００１６】
第５の発明によれば、身体機器の工具状態報知手段により、電動モータの負荷状態又は起動時間又はバッテリパックの残容量を確認することができる。
【００１７】
第６の発明は、第３〜第５の発明において、工具状態報知手段は、視覚的に表示する表示部を備えた起動システムである。
【００１８】
第６の発明によれば、電動工具の状態を工具状態報知手段の表示部を目で見て確認することができる。
【００１９】
第７の発明は、第１〜第６の発明において、使用者が身に着ける身体機器は、リストバンド又はグローブ又はゴーグルとした起動システムである。
【００２０】
第７の発明によれば、使用者が身に着ける身体機器として、手首に巻き付けるリストバンド、又は手に嵌めるグローブ（手袋）、又はゴーグル（眼鏡）を設定することができる。これらの一つまたは複数を身に付けて電動工具の起動を制御することができる。
【００２１】
第８の発明は、第１〜第７の何れか一つの発明において、電子スイッチとして、少なくとも２箇所に配置された圧力センサスイッチを備えた起動システムである。第８の発明では、圧力センサスイッチを少なくとも２箇所同時に操作して電動工具を起動させる構成となっている。
【００２２】
第８の発明によれば、２箇所の圧力センサスイッチを同時に操作しない限り起動しないことから、使用者の意図しない不用意な起動、あるいは誤操作を防止することができる。電子スイッチとして圧力センサスイッチを備えることにより、例えばスライド操作や傾動操作による機械的なスイッチレバーに比して操作をより楽に行うことができ、かつ楽に操作を継続することができる。一旦起動させた後においては、１箇所の圧力センサスイッチをオン操作しておけば起動状態が継続される構成とすることができる。
【図面の簡単な説明】
【００２３】
【図１】本実施形態に係る電動工具の左側面図である。
【図２】本実施形態に係る電動工具の右側面図である。
【図３】図１の(III)矢視図であって、電動工具の平面図である。
【図４】第１実施形態に係る身体機器を身に付けた使用者を示す図である。
【図５】第１実施形態に係る身体機器としてのリストバンドを示す図である。
【図６】第２実施形態に係る身体機器を身に付けた使用者を示す図である。
【図７】第２実施形態に係る身体機器としてのグローブを示す図である。
【図８】第３実施形態に係る身体機器を身に付けた使用者を示す図である。
【図９】第３実施形態に係る身体機器としてのゴーグルを示す図である。
【発明を実施するための形態】
【００２４】
次に、本発明の実施形態を図１〜図９に基づいて説明する。図１〜図３は、本実施形態の電動工具１を示している。本実施形態では、電動工具１としてディスクグラインダを例示する。この電動工具１は、円筒形状の本体ケース１１に駆動源としての電動モータＭを内装した工具本体部１０と、工具本体部１０の前部に結合されたギヤヘッド部２０を備えている。本実施形態では、本体ケース１１は前側のフロントケース１２に後側のリヤケース１３を結合した構成を備えている。リヤケース１３の後部から電源供給用の電源コード１４が引き出されている。電源コード１４により供給される交流電源を電源として電動モータＭが起動する。
【００２５】
本体ケース１１には、電動モータＭの起動、停止及び回転速度等について動作制御をするためのモータ制御回路及び電源回路を含むコントローラＣが内装されている。また、本体ケース１１には、コントローラＣとは別に、後述する身体機器との間で無線信号を送受信する送受信部Ｓが内装されている。送受信部ＳとコントローラＣとの間では、制御信号の送受信がなされる。
【００２６】
電動モータＭの回転出力は、ギヤヘッド部２０に内装したギヤ列（かさ歯車の噛み合い）を経てスピンドル２２に出力される。スピンドル２２は、ギヤヘッドケース２１に支持されている。スピンドル２２は、電動モータＭの出力軸線に直交する軸線回りに回転自在に支持されている。
【００２７】
スピンドル２２は、ギヤヘッドケース２１の下部から下方へ突き出されている。この突き出し部分に円形の砥石２３が取り付けられている。砥石２３の後側ほぼ半周の範囲は砥石カバー２４により覆われている。この砥石カバー２４により、粉塵等の使用者側への飛散が防止される。ギヤヘッドケース２１の左側部には、フロントグリップ２５が設けられている。
【００２８】
使用者は、右手で本体ハウジング１１を把持し、左手でフロントグリップ２５を把持して、当該電動工具１を用いることができる。フロントケース１２の周囲には合計４つの起動スイッチＳＷが配置されている。４つの起動スイッチＳＷは、フロントケース１２の左右側部の上下に配置されている。リヤケース１３の周囲には合計２つの起動スイッチＳＷが配置されている。２つの起動スイッチＳＷは、リヤケース１３の左右側部に配置されている。また、フロントグリップ２５の後面に１つの起動スイッチＳＷが配置されている。合計７つの起動スイッチＳＷには、スライド操作式や傾動操作式等の機械的スイッチではなく、いずれも電子スイッチ（圧力センサスイッチ）が用いられている。各起動スイッチＳＷを指先で押し操作すると、その圧力が検知されてコントローラＣにオン信号が出力される。
【００２９】
合計７つの起動スイッチＳＷのうち、フロントケース１２側の４つの起動スイッチＳＷのうちの何れか一つの起動スイッチＳＷと、リヤケース１３側の２つの起動スイッチＳＷの何れか一方の起動スイッチＳＷを同時にオン操作したとき、あるいはフロントグリップ２５の起動スイッチＳＷと、フロントケース１２側の何れか１つの起動スイッチＳＷ又はリヤケース１３側の何れか１つの起動スイッチＳＷを同時にオン操作したときにのみ電動モータＭが起動するよう起動制御されている。７つの起動スイッチＳＷの何れか１つをオン操作しただけでは電動モータＭは起動しない。また、フロントケース１２側の２つの起動スイッチＳＷを同時にオン操作した場合、あるはリヤケース１３側の２つの起動スイッチＳＷを同時にオン操作しても電動モータＭは起動しない。前後に離れて配置された、フロントケース１２側の起動スイッチＳＷと、リヤケース１３側の起動スイッチＳＷと、フロントグリップ２５側の起動スイッチＳＷが２箇所組み合わされて同時にオン操作されることによってのみ電動モータＭが起動する。
【００３０】
多くの場合、使用者は一方の手の指先でフロントケース１２側の起動スイッチをオン操作し、同時に他方の手の指先でリヤケース１３側の起動スイッチをオン操作することになる。このように両手で２つの起動スイッチをオン操作したときにのみ、電動モータＭが起動することにより、使用者の意図しない状況での起動が排除される。使用者は、一方の手でフロントケース１２を把持し、他方の手でリヤケース１３を把持して当該電動工具１を用いることができる。２つの起動スイッチＳＷを同時にオン操作して電動モータＭが一旦起動した状態では、何れか一方の起動スイッチＳＷのオン操作を解除（起動スイッチＳＷから指先を離す）しても、他方の起動スイッチＳＷがオン操作されている限り、電動モータＭの起動状態は維持される。２箇所の起動スイッチＳＷのオン操作が解除されると、電動モータＭが停止する。なお、当該電動工具１の停止操作については、上記他方の起動スイッチＳＷのオン操作状態（電動モータＭの起動状態）で、上記一方の起動スイッチＳＷを２度押し操作（ダブルタップ操作）して電動モータＭを停止させる構成としてもよい。係る構成によれば、使用者が電動工具１をしっかりと把持した状態で電動モータＭを停止させることができる。
【００３１】
２つの起動スイッチＳＷをオン操作して電動モータＭを起動させた状態で、残り５つのうちの何れか１つの起動スイッチＳＷをさらに押し操作すると、電動モータＭの起動状態がロックされて当該電動工具１が起動継続状態（いわゆるロックオン状態）となる。一旦起動継続状態となった後では、３つの起動スイッチＳＷのオン操作を全て解除しても（指先を離しても）、電動モータＭの起動状態が維持される。これにより使用者は、例えば工具本体部１０の後部側を片手で把持して離れた部位の研磨作業を長時間連続して楽に行うことができる。この起動継続状態において、７つの起動スイッチＳＷの何れか一つを押し操作（オフ操作）すると、当該起動継続状態が解除されて電動モータＭが停止する。
【００３２】
また、電動工具の起動継続（ロックオン）状態において、身体機器Ｗと電動工具が相互に離間して情報を受けることができない状態となった時点で、後述する電気的ロック状態に切り替わり、その結果当該起動継続状態がキャンセルされる。これにより当該起動システムに盗難抑止効果を持たせるとともに、使用者の意図しない状況での起動及び起動継続状態を排除することができる。
【００３３】
上記のように、３つの起動スイッチＳＷを押し操作したときに起動継続状態に切り替わる構成とする他、例えば２つの起動スイッチＳＷをオン操作して電動モータＭを起動させた状態で、何れか一方の起動スイッチＳＷをダブルタップ操作することにより起動継続状態に切り替わる構成としてもよい。
【００３４】
合計７つの起動スイッチＳＷのオン操作は、コントローラＣで予め設定された起動待機状態でのみ有効となる。起動待機状態は、使用者が身に付けた身体機器Ｗからの使用許可信号を送受信部Ｓで受信している状態でのみ発効する。送受信部Ｓで身体機器Ｗからの使用許可信号を受けていない状態では、コントローラＣでは電気的ロック状態となって、起動スイッチＳＷの押し操作が有効とされず、従って当該電動工具１を起動させることができない。
【００３５】
使用許可信号は、身体機器Ｗを身に付けた使用者が電動工具１に一定距離以下に接近した場合にのみ、送受信部Ｓで受信される。使用許可信号は、身体機器Ｗから常時発信される場合のほか、使用者が当該身体機器Ｗに対して少なくとも一つの操作を行った場合に発信される場合を対応させることができる。前者の場合は、使用者が電動工具１に一定距離以下に接近すれば使用許可信号が送受信部Ｓで受信される。後者の場合は、使用者が電動工具１に一定距離以下に接近し、さらに身体機器Ｗに対して少なくとも一つの操作を行うことにより当該身体機器から使用許可信号が発信され、これが電動工具１の送受信部Ｓで受信される。
【００３６】
使用許可信号を発信する身体機器Ｗについては様々な形態で実施することができる。以下、種々形態の身体機器Ｗについて説明する。図４及び図５には第１実施形態の身体機器Ｗとして、使用者が手首に巻き付けるリストバンド３０が示されている。このリストバンド３０は、手首に巻き付けるために適した布素材で製作され、容易に装着、取り外しができるよう適度な柔軟性及び伸縮性を有している。このリストバンド３０の外面側に操作パネル部３１が設けられている。操作パネル部３１には、使用許可信号を発信するための発信スイッチ３２と、主として電動工具１の動作状態を報知するための表示部（工具状態報知手段）３３と、アンテナ３４を備えている。また、図示は省略したが、リストバンド３０には電源としてボタン電池が交換可能に埋め込まれている。
【００３７】
図４に示すように手首にリストバンド３０を装着した使用者が、操作パネル部３１の発信スイッチ３２を操作するとアンテナ３４から使用許可信号が発信される。使用者が電動工具１に対して一定距離（使用許可信号受信距離）以内に位置する状態で使用許可信号が発信されると、これが電動工具１の送受信部Ｓで受信される。送受信部Ｓで使用許可信号が受信されると、これがコントローラＣに送信され、これにより当該電動工具１が電気的ロック状態から起動待機状態に切り換わる。リストバンド３０の場合、使用許可信号受信距離は、例えば３０ｃｍ程度に設定することができる。
【００３８】
起動待機状態において、使用者が前記したように２つの起動スイッチＳＷをオン操作することにより電動モータＭが起動し、従って当該電動工具１を使用することができる。また、３つの起動スイッチＳＷを同時操作することにより当該電動工具１を起動継続状態にすることができる。起動継続状態のまま、仮に使用者が電動工具１を作業台上に置いてその場を使用許可信号受信距離以上離れた場合、あるいは誤って床面上に落下させてしまった場合には、リストバンド３０が発信する使用許可信号が電動工具１の送受信部Ｓで受信されなくなる。使用許可信号が受信されなくなると、前記したようにコントローラＣでは起動継続状態が解除されて電動モータＭへの電力供給が遮断され、従って電動モータＭは停止される。
【００３９】
リストバンド３０の表示部３３には、電動工具１の動作状態であって、負荷状態、電動モータＭの出力回転数、起動時間のほか、電動工具１が充電式のバッテリパックを電源とする場合にはその残容量が表示される。これらの情報はコントローラＣで集約され、送受信部Ｓから発信される。送受信部Ｓから発信された情報が、工具状態報知手段としての表示部３３に表示される。使用者はこの表示部３３により電動工具１の動作状態等を視覚的に認知することができる。
【００４０】
係るリストバンド３０によれば、当該リストバンド３０を身に付けた使用者のみが実際に手に把持した状態でのみ電動工具１を使用することができ、この点で使用者の意図しない状況での当該電動工具１の使用が排除される。リストバンド３０を装着した使用者が電動工具１を手に把持した状態であっても、発信スイッチ３２を操作して使用許可信号が発信されていなければ、電動工具１は起動待機状態に切り換わらないため起動スイッチＳＷのオン操作は有効にならず、従って電動モータＭは起動しない。
【００４１】
また、電動工具１の起動継続状態において、リストバンド３０と電動工具１が相互に離間して使用許可信号を受信できない状態となった時点で、電気的ロック状態に切り替わって当該起動継続状態がキャンセルされる。これにより当該起動システムに盗難抑止効果が持たせられるとともに、使用者の意図しない状況での起動及び起動継続状態が排除される。また、当該電動工具１を誤って床面上に落下させてしまった場合等における起動継続状態を自動的に解除することができる。
【００４２】
なお、図示は省略したが、リストバンドとして腕時計の一部に例示した操作パネル部３１や発信スイッチ３２等を設けて身体機器Ｗとすることができる。
【００４３】
図６及び図７には、第２実施形態に係る身体機器Ｗとして使用者が手に嵌めるグローブ（作業用手袋）４０が例示されている。このグローブ４０の手の甲に相当する部位には操作パネル部４１が設けられている。この操作パネル部４１には、使用許可信号を発信するための発信スイッチ４２、過負荷状態か否かを点灯により報知する負荷状態表示灯４３、起動待機状態か否かを点灯により報知する起動状態表示灯４４、電動工具１の動作モードを点灯色により表示するモード表示灯４５、当該電動工具１が充電式のバッテリパックを電源とする場合の当該バッテリパックの残容量及び当該グローブ４０の電源としてのバッテリ（例えばボタン電池）の残容量を表示するバッテリ残容量表示部４６と、当該グローブ４０の電動工具１に対する適合性を点灯により表示する適合性表示部４７を備えている。操作パネル部４１に隣接して手首部にはアンテナ４８が設けられている。
【００４４】
グローブ４０を手に嵌めた使用者が、電動工具１を把持して発信スイッチ４２を操作すると、アンテナ４８を経て使用許可信号が発信される。発信された使用許可信号は、電動工具１の送受信部Ｓで受信される。グローブ４０の場合も、使用許可信号受信距離を３０ｃｍ程度に設定することが望ましい。使用者が電動工具から使用許可信号受信距離以上に離れた場所で発信スイッチ４２を操作しても、アンテナ４８から発信された使用許可信号は送受信部Ｓまで届かない。送受信部Ｓで使用許可信号が受信される電動工具１が電気的ロック状態から起動待機状態に切り換わる。この起動待機状態で、使用者が２つの起動スイッチＳＷをオン操作することにより電動モータＭが起動し、この起動状態で更に３つ目の起動スイッチＳＷをオン操作すると当該起動状態がロックされた起動継続状態となる。
【００４５】
起動継続状態のまま、使用者が離れると使用許可信号が送受信部Ｓで受信されなくなって、電動工具１が電気的ロック状態に切り換わって当該起動継続状態がキャンセルされる。このことから、第１実施形態のリストバンド３０を同様、身体機器としてのグローブ４０を含めた電動工具１の起動システムにより、当該電動工具１の盗難抑止効果が発揮されるとともに、使用者が意図しない状況での起動及び起動継続状態が排除される。また、当該電動工具１を誤って床面上に落下させてしまった場合等における起動継続状態を自動的に解除することができる。
【００４６】
図８及び図９には、第３実施形態に係る身体機器Ｗとしてのゴーグル５０が示されている。このゴーグル５０のフレーム５０ａには、発信スイッチ５１とアンテナ５２が設けられている。また、図示は省略したが、フレーム５０ａには当該身体機器Ｗの電源としてボタン電池が交換可能に組み込まれている。図９ではゴーグル５０の一方のレンズ部５０ｂから電動工具１が目視される状態が示されている。このレンズ部５０ｂには、透過型の液晶表示部５３が設けられている。液晶表示部５３には、電動工具１の動作モードを文字表示するモード表示部５４と、作業時間（起動時間）を表示する時間表示部５５と、電動モータＭの負荷状態を表示する負荷状態表示部５６と、起動を可能とする起動待機状態であることを表示する起動状態表示部５７と、当該電動工具１が充電可能なバッテリパックを電源とする場合の当該バッテリパック及び当該液晶表示部５３の電源用バッテリ（ボタン電池）の残容量表示部５８が設けられている。
【００４７】
ゴーグル５０の場合には、前記リストバンド３０やグローブ４０について設定した使用許可信号受信距離（例えば３０ｃｍ）を、より長い距離（例えば１ｍ〜２ｍ程度）を設定することが望ましい。ゴーグル５０を装着した使用者が電動工具１に対して使用許可信号受信距離以内（１ｍ〜２ｍ以内）に接近して発信スイッチ５１を操作すると、液晶表示部５３に電動工具１に関する各種の情報が視覚的に報知される。使用者は液晶表示部５３に表示されるモード表示部５４により電動工具１に現在設定されている動作モードを確認することができ、時間表示部５５により前回作業時間を確認することができ、あるいはバッテリパックの残容量を確認することができる。また、電動工具１の使用中においては、さらに負荷状態表示部５６により電動モータＭの負荷状態を確認することができ、起動状態表示部５７により当該電動工具１が起動状態であることを確認することができる。
【００４８】
さらに、使用許可信号受信距離以内に接近した後に発信スイッチ５１を操作すると、アンテナ５２から発信された使用許可信号が電動工具１の送受信部Ｓで受信される。送受信部Ｓで使用許可信号が受信されると、電動工具１が電気的ロック状態から起動待機状態に切り換わる。この起動待機状態において、２つの起動スイッチＳＷをオン操作すると電動モータＭが起動して当該電動工具１を使用することができる。また、この起動状態において３つ目の起動スイッチＳＷをオン操作すると当該起動状態がロックされた起動継続状態となる。
【００４９】
起動状態において起動スイッチＳＷの押し操作を解除すると電動モータＭが停止する。また、起動継続状態のまま電動工具１を作業台上に置いて離れると、使用許可信号が送受信部Ｓで受信されなくなるため、電動工具１は電気的ロック状態に切り換わり、その結果起動継続状態がキャンセルされて電動モータＭは停止する。このように第３実施形態に係る身体機器（ゴーグル５０）を身に付けた使用者の意図しない状況での起動が禁止されることから、当該起動システムにより電動工具１の盗難抑止機能を持たせることができるとともに、当該電動工具１を誤って床面上に落下させてしまった場合等における起動継続状態を自動的に解除することができる。
【００５０】
以上説明した実施形態にはさらに変更を加えることができる。例えば第１〜第３実施形態において、使用者の発信スイッチ３２，４２，５１の操作により使用許可信号を発信する構成を例示したが、これら身体機器Ｗの電源投入状態で常時使用許可信号が発信される構成としてもよい。使用許可信号には、例えばブルートゥース（Bluetooth、登録商標)通信や赤外線通信を利用することができる。
【００５１】
また、使用者の操作により使用許可信号を発信する構成とする他、定期的または一定時間間隔で使用許可信号を発信する構成としてもよい。さらに、午前８時から午後５時までといったように時間を予め定めて使用許可信号を発信する構成としてもよい。なお、これら場合には、発信スイッチ３２，４２，５１を省略することができる。
【００５２】
さらに、使用者が発信スイッチ３２，４２，５１を操作すると、操作パネル部３１，４１若しくは液晶表示部５３に電動工具１に関する各種の情報が報知される構成を例示したが、係る構成に代えて使用者が電動工具１に対して使用許可信号受信距離以内に接近した時点で自動的に各種の情報が報知される構成としてもよい。
【００５３】
また、工具状態報知手段は、表示パネルやＬＥＤ発光部等の視覚による手段の他、電子音や音楽あるいは音声等の音により報知する構成としてもよい。
【００５４】
さらに、電動工具１に合計７つの起動スイッチＳＷを設けた構成を例示したが、起動スイッチＳＷの数は任意に設定することができる。例えば、１つの起動スイッチＳＷを設け、当該起動スイッチＳＷを２度押しすることにより起動し、起動状態で１度押しすることにより電動モータＭを停止させる構成とすることができる。この場合、起動状態において当該１つの起動スイッチＳＷを例えば２秒間長押しすることにより起動継続状態とする構成とすることができる。
【００５５】
また、電子スイッチＳＷには、圧力センサ式のものの他、静電タイプのスイッチを用いることができる。さらに、複数の起動スイッチＳＷとは別に、強制停止スイッチを設けることができる。この強制停止スイッチの操作により、身体機器Ｗによる使用許可信号の受信、あるいは電動工具１のいかなる起動状態にも優先して電動モータＭへの電力供給が遮断され、これにより当該電動工具１の全ての動作が瞬時かつ強制的に停止される。
【００５６】
さらに、身体機器Ｗとして、リストバンド３０、グローブ４０、ゴーグル５０を例示したが、帽子、作業着、ベルト、作業バッグ、装身具等の身体機器について例示した構成を適用することができる。また、複数の身体機器Ｗを組み合わせて電動工具１の起動制御を行うことができる。
【００５７】
また、電動工具１としてディスクグラインダを例示したが、ねじ締め機や切断機等のその他の電動工具について例示した起動システムを広く適用することができる。
【符号の説明】
【００５８】
１…電動工具（ディスクグラインダ）
Ｍ…電動モータ
１０…工具本体部
１１…本体ケース
１２…フロントケース
１３…リヤケース
１４…電源コード
Ｃ…コントローラ
Ｓ…送受信部
２０…ギヤヘッド部
２１…ギヤヘッドケース
２２…スピンドル
２３…砥石
２４…砥石カバー
２５…フロントグリップ
ＳＷ…起動スイッチ
Ｗ…身体機器
３０…リストバンド（身体機器Ｗ）
３１…操作パネル部
３２…発信スイッチ
３３…表示部（工具状態報知手段）
３４…アンテナ
４０…グローブ（身体機器Ｗ）
４１…操作パネル部
４２…発信スイッチ
４３…負荷状態表示灯
４４…起動状態表示灯
４５…モード表示灯
４６…バッテリ残容量表示部
４７…適合性表示部
４８…アンテナ
５０…ゴーグル（身体機器Ｗ）
５０ａ…フレーム、５０ｂ…レンズ部
５１…発信スイッチ
５２…アンテナ
５３…液晶表示部
５４…モード表示部
５５…時間表示部
５６…負荷状態表示部
５７…起動状態表示部
５８…残容量表示部
【図１】
2017164858.tif 000003
【図２】
2017164858.tif 000004
【図３】
2017164858.tif 000005
【図４】
2017164858.tif 000006
【図５】
2017164858.tif 000007
【図６】
2017164858.tif 000008
【図７】
2017164858.tif 000009
【図８】
2017164858.tif 000010
【図９】
2017164858.tif 000011